(57)【要約】  壁面に電子機器本体を取り付けることが容易になる取付装置を提供する。取付装置は、壁面に電子機器本体を取り付けるための取付装置であって、複数のピン孔を有する台座部と、複数のピン孔の各々に挿通され、壁面に台座部を固定する複数のピンと、台座部に固定され、電子機器本体が掛止される掛止部と、を備える。台座部は、壁面に固定される面である固定面を有し、複数のピン孔の各々は、固定面に対し、台座部の外側に向かって所定の角度で設けられる。
2018116877.tif 000002
【特許請求の範囲】
【請求項１】
壁面に電子機器本体を取り付けるための取付装置であって、
複数のピン孔を有する台座部と、
前記複数のピン孔の各々に挿通され、前記壁面に前記台座部を固定する複数のピンと、
前記台座部に固定され、前記電子機器本体が掛止される掛止部と、を備え、
前記台座部は、前記壁面に固定される面である固定面を有し、
前記複数のピン孔の各々は、前記固定面に対し、前記台座部の外側に向かって所定の角度で設けられる、
取付装置。
【請求項２】
前記複数のピン孔の各々は、前記台座部の中心から放射状に設けられる、
請求項１に記載の取付装置。
【請求項３】
前記所定の角度は、２０度以上４０度以下である、
請求項１または２に記載の取付装置。
【請求項４】
前記掛止部は、
前記壁面に取り付けられた状態で水平方向に延伸するシャフトを備えた前記電子機器本体の前記シャフトが嵌まり込む溝部を備える、
請求項１から３のいずれかに記載の取付装置。
【請求項５】
前記溝部は、
前記シャフトを備えた前記電子機器本体が前記壁面に取り付けられた状態において、前記シャフトの上方に位置する突起部を備える、
請求項４に記載の取付装置。
【請求項６】
前記溝部は、断面形状において、前記溝部の内面に円弧形状の部分を含む、
請求項４または５に記載の取付装置。
【請求項７】
請求項１〜６のいずれかに記載の取付装置と、
前記電子機器本体と、を備える、
電子機器。
【請求項８】
前記電子機器本体は、前記掛止部の少なくとも一部が挿入される貫通孔である本体貫通孔を備える、
請求項７に記載の電子機器。
【請求項９】
複数のピン孔を有する台座部と、
前記複数のピン孔の各々に挿通され、壁面に前記台座部を固定する複数のピンと、
前記台座部に固定され、パネル状の電子機器本体が掛止される掛止部と、を備える取付装置を前記壁面に複数固定する取付装置の固定方法であって、
前記壁面に、対称軸に対して対称な形状を有するシートを、前記対称軸上に位置する仮固定部を中心として回動可能に固定し、
前記シートにおいて前記対称軸と直交する直交軸上に設けられた複数のシート開口部に対応する前記壁面の位置に、前記台座部を固定し、
前記台座部に、前記掛止部を固定する、
取付装置の固定方法。
【請求項１０】
複数の取付装置を壁面に固定するときに使用するシートであって、
対称軸に対して対称な形状を有し、
前記対称軸上に位置する仮固定部と、
前記対称軸と直交する直交軸上に設けられた複数のシート開口部と、を備える、
シート。
【請求項１１】
前記シート開口部は、正面視において、前記取付装置が有する台座部を取り囲む形状に形成された、
請求項１０に記載のシート。
【請求項１２】
前記仮固定部は、前記対称軸上の当該シートの一端に位置する、
請求項１０または１１に記載のシート。
【請求項１３】
前記仮固定部は、当該シートに設けられた開口部である、
請求項１０から１２のいずれかに記載のシート。
【請求項１４】
当該シートの正面視における形状は、当該シートを用いて壁面に取り付ける電子機器本体の正面視における形状と略同一である、
請求項１０から１３のいずれかに記載のシート。
【発明の詳細な説明】
【技術分野】
【０００１】
本開示は、壁面に電子機器本体を取り付けるための取付装置、取付装置を備えた電子機器、複数の取付装置を壁面に固定する固定方法、および取付装置を壁面に固定するときに使用するシートに関する。
【背景技術】
【０００２】
特許文献１は、取付ブラケットを開示する。ユーザは、この取付ブラケットを用いて、例えば机に設置されたバー等に、電子機器本体を取り付けることができる。【０００３】
特許文献２は、取付装置を開示する。ユーザは、この取付装置を用いて、壁面に電子機器本体を取り付けることができる。また、ユーザは、壁面に取り付けた電子機器本体の位置を調整することができる。
【先行技術文献】
【特許文献】
【０００４】
【特許文献１】特開２０１１−１４９４５３号公報
【特許文献２】特許第５５０１８６６号公報
【発明の概要】
【０００５】
本開示は、ユーザが壁面に電子機器本体を取り付けることを容易にできる取付装置、および取付装置を備えた電子機器を提供する。
【０００６】
また、本開示は、壁面に電子機器本体を取り付けるときに複数の取付装置を用いる場合に、ユーザが壁面に複数の取付装置を水平方向に並列に配置した状態で固定することを容易にできる取付装置の固定方法、および複数の取付装置を壁面に固定するときに使用するシートを提供する。
【０００７】
本開示における取付装置は、壁面に電子機器本体を取り付けるための取付装置であって、複数のピン孔を有する台座部と、前記複数のピン孔の各々に挿通され、前記壁面に前記台座部を固定する複数のピンと、前記台座部に固定され、前記電子機器本体が掛止される掛止部と、を備える。前記台座部は、前記壁面に固定される面である固定面を有し、前記複数のピン孔の各々は、前記固定面に対し、前記台座部の外側に向かって所定の角度で設けられる。
【０００８】
本開示における電子機器は、上記の取付装置と、電子機器本体と、を備える。
【０００９】
本開示における取付装置の固定方法は、複数のピン孔を有する台座部と、複数のピン孔の各々に挿通され、壁面に台座部を固定する複数のピンと、台座部に固定され、パネル状の電子機器本体が掛止される掛止部と、を備える取付装置を壁面に複数固定する取付装置の固定方法であって、壁面に、対称軸に対して対称な形状を有するシートを、対称軸上に位置する仮固定部を中心として回動可能に固定し、シートにおいて対称軸と直交する直交軸上に設けられた複数のシート開口部に対応する壁面の位置に台座部を固定し、台座部に掛止部を固定する。
【００１０】
本開示におけるシートは、複数の取付装置を壁面に固定するときに使用するシートであって、対称軸に対して対称な形状を有する。当該シートは、前記対称軸上に位置する仮固定部と、前記対称軸と直交する直交軸上に設けられた複数のシート開口部と、を備える。
【００１１】
本開示における取付装置および電子機器は、ユーザが壁面に電子機器本体を取り付けることを、容易にできる。
【００１２】
また、本開示における取付装置の固定方法およびシートは、壁面に電子機器本体を取り付けるときに複数の取付装置が用いられる場合に、ユーザが壁面に複数の取付装置を水平方向に並列に配置した状態で固定することを、容易にできる。
【図面の簡単な説明】
【００１３】
【図１】図１は、実施の形態１における壁面に固定された電子機器の外観の一例を模式的に示す斜視図である。
【図２】図２は、実施の形態１における壁面に固定された電子機器本体の一部を拡大して示す斜視図である。
【図３】図３は、実施の形態１における電子機器本体の正面側の一部を拡大して示す斜視図である。
【図４】図４は、実施の形態１における電子機器本体の背面側の一部を拡大して示す斜視図である。
【図５】図５は、実施の形態１における壁面に固定された電子機器の構造の一例を模式的に示す部分断面図である。
【図６】図６は、実施の形態１における取付装置の構造の一例を模式的に示す部分断面図である。
【図７】図７は、実施の形態１における取付装置の外観の一例を模式的に示す斜視図である。
【図８】図８は、実施の形態１における取付装置の構造の一例を模式的に示す分解斜視図である。
【図９】図９は、実施の形態１における台座部の一例を模式的に示す正面図である。
【図１０】図１０は、実施の形態２におけるシートの一例を模式的に示す正面図である。
【図１１】図１１は、実施の形態２におけるシートの一部を拡大して示す正面図である。
【図１２】図１２は、実施の形態２におけるシートの仮固定部の構造の一例を模式的に示す部分断面図である。
【図１３】図１３は、実施の形態２におけるシートおよび台座部が壁面に固定された状態の一例を模式的に示す正面図である。
【図１４】図１４は、実施の形態２における電子機器の固定方法の一例を示すフローチャートである。
【図１５】図１５は、実施の形態２における壁面に固定されたシートおよび台座部の構造の一例を模式的に示す部分断面図である。
【図１６】図１６は、実施の形態の変形例における台座部の一例を模式的に示す正面図である。
【図１７】図１７は、実施の形態の変形例における台座部の他の一例を模式的に示す正面図である。
【発明を実施するための形態】
【００１４】
（本開示に至った経緯）
まず、本願発明者らが本開示に至った経緯について説明する。
【００１５】
取付装置を用いて壁面に電子機器本体を取り付けるときには、まず、その壁面に、ネジまたは釘等の固定部材を用いて、取付装置を固定しなければならない。しかし、例えば石膏ボード等で形成された壁のように、固定部材の長さ（例えば、ネジまたは釘の長さ）よりも厚みが薄い壁に関しては、固定部材が壁を貫通してしまい、電子機器本体の重量を支持できる十分な強度を固定部材から得ることができない場合がある。したがって、そのような比較的薄い壁の壁面に従来の取付装置を固定する場合は、電子機器本体の重量を支持できる十分な強度（耐荷重）を得るために、壁の裏側に配置された柱に、壁とともに取付装置をネジまたは釘等の固定部材で固定する必要がある。しかし、壁の裏側の柱を目視で確認することは困難である。そのため、そのような場合に、壁の裏側の柱の位置を調べることができる検出装置（例えば、超音波センサ、等）を用いて、柱の位置を特定する作業が行われることがある。しかし、そのような検出装置を所持していない（または、使用できない）ユーザはその作業を行うことができず、また、そのような検出装置の取り扱いに不慣れなユーザには、その作業は容易ではない。また、取付装置の固定位置が柱の位置によって制限されるため、取付装置の配置位置に関する自由度は、十分な厚みと強度を有する壁に取付装置を固定する場合と比較して、低い。このように、比較的薄い壁の壁面に電子機器本体を取り付けるときの、電子機器本体の取付位置の自由度は、相対的に低い。
【００１６】
本開示は、ユーザが壁面に電子機器本体を取り付けることを容易にできる取付装置、および取付装置を備えた電子機器を提供する。
【００１７】
また、電子機器本体を壁面に取り付けるときに複数の取付装置が用いられる場合は、電子機器本体の姿勢を水平に保つために、それら複数の取付装置を、水平方向に並列した配置位置で固定しなければならない。従来技術では、このような場合に、水平面に対する傾斜を調べるための機器（例えば、水準器または水平器、等）を用いて、複数の取付装置を水平方向に並列に配置する作業が行われることがある。しかしながら、そのような機器を所持していない（または、使用できない）ユーザは、例えば目視等でその作業を行わなければならず、複数の取付装置を水平方向に並列に配置することが困難である。また、そのような機器の取り扱いに不慣れなユーザには、その作業は容易ではない。
【００１８】
本開示は、壁面に電子機器本体を取り付けるときに複数の取付装置が用いられる場合に、ユーザが壁面に複数の取付装置を水平方向に並列に配置した状態で固定することを容易にできる取付装置の固定方法を提供する。
【００１９】
以下、適宜図面を参照しながら、実施の形態を詳細に説明する。ただし、必要以上に詳細な説明は省略する場合がある。例えば、すでによく知られた事項の詳細説明、および実質的に同一の構成に対する重複説明等を省略する場合がある。これは、以下の説明が不必要に冗長になるのを避け、当業者の理解を容易にするためである。
【００２０】
なお、添付図面および以下で説明する実施の形態は、当業者が本開示を十分に理解するために提供されるのであって、いずれも本開示の一例を示すものである。以下の実施の形態で示される数値、形状、材料、構成要素、構成要素の配置位置および接続形態、等は、一例であり、これらにより特許請求の範囲に記載の主題を限定することは意図されていない。また、以下の実施の形態における構成要素のうち、最上位概念を示す独立請求項に記載されていない構成要素は、独立請求項に示された構成要素に任意に付加可能な構成要素である。
【００２１】
また、各図は、必ずしも厳密に図示されたものではなく、本開示をわかりやすく示すために適宜省略等を行った模式図である。また、各図において、実質的に同じ構成要素については同じ符号を付し、説明を省略または簡略化する場合がある。
【００２２】
なお、以下の実施の形態では、各図面にｘ軸、ｙ軸、ｚ軸の３軸を示し、必要に応じて、ｘｙｚ軸を用いて説明を行う。本実施の形態では、便宜的に、水平面に平行かつ壁面４００に平行な方向をｘ軸方向とし、水平面に垂直な方向（鉛直方向）をｙ軸方向とし、水平面に平行かつ壁面４００に垂直な方向をｚ軸方向とする。また、壁面４００から離れる方向をｚ軸正方向とし、床面から相対的に遠い方を上、床面に相対的に近い方を下とし、下から上に向かう方向をｙ軸正方向とする。また、壁面４００に取り付けられた電子機器本体１１０の正面に向かって左から右に向かう方向をｘ軸正方向とする。しかし、これらの方向は便宜的に示す相対的なものであり、絶対的なものではない。また、これらの方向により本開示が限定されるものでもない。
【００２３】
（実施の形態１）
以下、図１〜図９を用いて、実施の形態１を説明する。
【００２４】
［１−１．構成］
［１−１−１．電子機器］
図１は、実施の形態１における壁面４００に固定された電子機器１００の外観の一例を模式的に示す斜視図である。
【００２５】
図１に示すように、電子機器１００は、電子機器本体１１０と、取付装置２００と、を備える。なお、本実施の形態では、電子機器１００が取付装置２００を２個備える構成例を説明するが、電子機器１００が備える取付装置２００の数は何ら２個に限定されない。電子機器１００が備える取付装置２００の数は、電子機器本体１１０が備える本体貫通孔１３０の数に基づいて設定される。
【００２６】
本実施の形態に示す構成例では、電子機器本体１１０はテレビジョンセットである。電子機器本体１１０は、液晶パネルまたは有機ＥＬ（Ｅｌｅｃｔｒｏ  Ｌｕｍｉｎｅｓｃｅｎｃｅ）パネルによって構成される画像表示部を有し、電子機器本体１１０の上部に、スピーカおよび画像表示部を駆動するための駆動回路が搭載された基板を有する。電子機器本体１１０が備える画像表示部のサイズは、例えば５５型であり、電子機器本体１１０の重量は、例えば１０ｋｇである。なお、電子機器本体１１０は、何らテレビジョンセットに限定されるものではなく、また、画像表示部のサイズ、および、電子機器本体１１０の重量も、何ら上述の数値に限定されない。
【００２７】
取付装置２００は、壁面４００に固定される部材である。本実施の形態において、壁面４００は、例えば石膏ボード等の比較的薄い板で形成された壁の表面である。壁面４００を有する壁の厚みは、例えば９．５ｍｍである。しかし、本開示は何ら壁の材質および壁の厚みを限定しない。壁面４００を有する壁は、電子機器本体１１０の支持に必要な強度と耐久性を備えていればよい。なお、取付装置２００と壁面４００との間に壁紙が挟まれていてもよい。
【００２８】
なお、本実施の形態では、電子機器本体１１０が２つの本体貫通孔１３０を備える構成例を説明するが、電子機器本体１１０が備える本体貫通孔１３０の数は何ら２つに限定されない。
【００２９】
電子機器本体１１０は、図１に例示するように、電子機器本体１１０の上部における水平方向（ｘ軸方向）の一端部（ｘ軸負方向側の端部）に一方の本体貫通孔１３０を備え、他端部（ｘ軸正方向側の端部）に他方の本体貫通孔１３０を備える。なお、電子機器本体１１０における本体貫通孔１３０の配置位置は、何ら図１に示した配置位置に限定されない。電子機器本体１１０における本体貫通孔１３０の配置位置は、壁面４００に固定された取付装置２００に電子機器本体１１０を取り付けたときの安定性、および電子機器本体１１０の強度等を考慮して、適切に設定されることが望ましい。すなわち、上述の端部とは、そのようにして定められた本体貫通孔１３０の電子機器本体１１０における配置位置を表す。
【００３０】
図２は、実施の形態１における壁面４００に固定された電子機器本体１１０の一部を拡大して示す斜視図である。図２には、図１において一点鎖線で囲んだ領域（一方の本体貫通孔１３０の付近）を拡大して示す。
【００３１】
図３は、実施の形態１における電子機器本体１１０の正面側の一部を拡大して示す斜視図である。図３には、取付装置２００に取り付けられていない電子機器本体１１０の本体貫通孔１３０の付近を拡大して示す。
【００３２】
図４は、実施の形態１における電子機器本体１１０の背面側の一部を拡大して示す斜視図である。図４には、図３に示した本体貫通孔１３０の背面側の付近を拡大して示す。
【００３３】
なお、本実施の形態において、一方の本体貫通孔１３０と他方の本体貫通孔１３０とは、互いに実質的に同じ構造を有する。したがって、以下では、一方の本体貫通孔１３０について説明し、他方の本体貫通孔１３０についての説明は省略または簡略化する。
【００３４】
電子機器本体１１０は、図２〜４に示すように、電子機器本体１１０の表側（ｚ軸正方向側）に、ｘ−ｙ平面に実質的に平行な本体表面１２０と、電子機器本体１１０の裏側（ｚ軸負方向側）に、ｘ−ｙ平面に実質的に平行な本体背面１２１と、を有する。そして、本体貫通孔１３０は、図２〜４に示すように、電子機器本体１１０の、本体表面１２０に直交する方向（ｚ軸方向）に、本体表面１２０から本体背面１２１に貫通して設けられている。
【００３５】
図３および図４に示すように、電子機器本体１１０は、本体貫通孔１３０内に、１つのシャフト１４０と、２個のシャフト保持具１５０と、を備える。２個のシャフト保持具１５０は、本体貫通孔１３０内の、水平方向（ｘ軸方向）に離間した、互いに対向する位置に、配置されている。そして、２個のシャフト保持具１５０の間に、シャフト１４０を、シャフト１４０が電子機器本体１１０の重量を十分に支持できる強度で、保持している。
【００３６】
シャフト１４０は、水平方向（ｘ軸方向）に延伸した円柱形状を有し、電子機器本体１１０の重量を十分に支持できる強度を有する材料（例えば、金属材料、等）で形成されており、２個のシャフト保持具１５０によって固定されている。
【００３７】
［１−１−２．取付装置］
図５は、実施の形態１における壁面４００に固定された電子機器１００の構造の一例を模式的に示す部分断面図である。図５には、図２におけるＶ−Ｖ線断面図を示す。
【００３８】
図５の断面図には、実施の形態１における電子機器１００が壁面４００に固定された状態を示す。図５に示すように、取付装置２００は、台座部２１０と、掛止部２３０と、中央ピン２８０と、複数（例えば、１２本）のピン２９０と、４本のネジ２７０と、を備える。なお、本実施の形態では、取付装置２００が１２本のピン２９０と４本のネジ２７０を備える構成例を示すが、取付装置２００が備えるピン２９０の数は何ら１２本に限定されない。また、取付装置２００が備えるネジ２７０の数も何ら４本に限定されない。
【００３９】
台座部２１０は、中央ピン２８０が挿通される中央貫通孔２１８と、複数（例えば、１２本）のピン２９０の各々が挿通される複数（例えば、１２個）のピン孔２２２と、を有する。台座部２１０は、中央貫通孔２１８に挿通された中央ピン２８０、および各ピン孔２２２に挿通された複数（例えば、１２本）のピン２９０の各々が、壁面４００に挿し込まれることによって、壁面４００に固定される。なお、ピン孔２２２は、台座部２１０を貫通する貫通孔である。なお、本実施の形態では、台座部２１０が１２個のピン孔２２２を備える構成例を示すが、台座部２１０が備えるピン孔２２２の数は何ら１２個に限定されない。
【００４０】
掛止部２３０は、台座部２１０に嵌合する形状で形成されている。掛止部２３０は、４本のネジ２７０の各々が、掛止部２３０に設けられた各ネジ貫通孔２５０（図８参照）を通って台座部２１０に捩じ込まれることにより、台座部２１０に固定される。掛止部２３０は、電子機器本体１１０を掛止するための部材である。電子機器本体１１０は、掛止部２３０の溝部２６２に電子機器本体１１０のシャフト１４０が嵌め込まれることにより、掛止部２３０に掛止される。そして、電子機器本体１１０が壁面４００に取り付けられた状態のとき、図５に示すように、電子機器本体１１０の本体貫通孔１３０には、掛止部２３０の一部が挿入されている。溝部２６２の詳細は後述する。
【００４１】
次に、図６〜図８を用いて、取付装置２００の構造の詳細を説明する。
【００４２】
図６は、実施の形態１における取付装置２００の構造の一例を模式的に示す部分断面図である。
【００４３】
図７は、実施の形態１における取付装置２００の外観の一例を模式的に示す斜視図である。
【００４４】
図８は、実施の形態１における取付装置２００の構造の一例を模式的に示す分解斜視図である。
【００４５】
なお、図６〜図８では、中央ピン２８０およびピン２９０を省略している。
【００４６】
台座部２１０は、図８に示すように、正面視で（ｚ軸方向から見たときに）円形の円柱状に形成されており、例えばアルミニウム等の金属材料で形成されている。なお、台座部２１０の正面視の形状は、何ら円形に限定されるものではなく、例えば楕円形や多角形等、他の形状であってもよい。また、台座部２１０を形成する材料も、何らアルミニウムに限定されるものではなく、電子機器本体１１０の支持に必要な強度と耐久性とを有する材料であればよい。台座部２１０は、例えば、３２ｍｍの径と５ｍｍの厚みとを有する。しかし、台座部２１０の寸法は何らこれらの数値に限定されるものではなく、電子機器本体１１０の支持に必要な大きさに設定されていればよい。
【００４７】
台座部２１０は、壁面４００に固定される面（ｚ軸負方向側の面）である固定面２１１と、固定面２１１と対向する面（ｚ軸正方向側の面）である表面２１２と、を有する。台座部２１０は、表面２１２の中央に、正面視で（ｚ軸方向から見たときに）円形の、ｚ軸負方向に円柱状に窪んだ凹部２１３を有する。さらに、台座部２１０は、凹部２１３の底面２１４の中央に、正面視で（ｚ軸方向から見たときに）円形の、ｚ軸負方向に窪んだ凹部２１５を有する。したがって、凹部２１５の径は凹部２１３の径よりも小さく、凹部２１５の底面２１７は凹部２１３の底面２１４よりもさらにｚ軸負方向側にある。
【００４８】
凹部２１５は、窪みの形状が、底面２１４から固定面２１１側の底面２１７に向かって（ｚ軸負方向に）徐々に径が小さくなる円錐台形状に形成されている。そのため、凹部２１５の側周面２１６は、固定面２１１に対して垂直ではなく傾斜（すなわち、ｚ軸に対して傾斜）している。固定面２１１への垂直軸に対する側周面２１６の傾き（ｚ軸に対する傾斜角度）は、例えば３０度である。しかし、側周面２１６の傾斜角度は、何ら３０度に限定されず、他の角度であってもよい。また、側周面２１６の傾斜角度は、後述する所定の角度θとして定義されてもよい。これは、後述するように、ピン孔２２２が、台座部２１０の固定面２１１に対して、所定の角度θで傾斜して設けられており、ピン孔２２２に挿通されるピン２９０の頭が、一般的には、ピン２９０の軸に対して垂直に形成されるためである。
【００４９】
凹部２１５の側周面２１６には、ピン２９０を挿通するために側周面２１６から固定面２１１まで貫通したピン孔２２２が、複数（例えば、１２個）形成されている。また、凹部２１５の底面２１７の中心には、中央ピン２８０を挿通するために底面２１７から固定面２１１まで貫通した中央貫通孔２１８が形成されている。また、凹部２１３の底面２１４には、中央貫通孔２１８を中心とした円周上に実質的に等間隔に配置された４個のネジ孔２２０が形成されている。なお、本実施の形態では、台座部２１０が１２個のピン孔２２２と４個のネジ孔２２０を備える構成例を示すが、台座部２１０が備えるピン孔２２２の数は何ら１２個に限定されない。また、台座部２１０が備えるネジ孔２２０の数も何ら４個に限定されない。
【００５０】
掛止部２３０は、嵌合部２４０と突出部２６０とを備える。掛止部２３０は、例えばアルミニウム等の金属材料で形成されている。なお、掛止部２３０を形成する材料は、何らアルミニウムに限定されるものではなく、電子機器本体１１０の支持に必要な強度と耐久性を有する材料であればよい。
【００５１】
嵌合部２４０は、正面視で（ｚ軸方向から見たときに）円形の、円柱状に形成されている。また、嵌合部２４０は、台座部２１０の凹部２１３の径と実質的に同じかまたはわずかに小さい径を有し、凹部２１３に嵌合できる形状に形成されている。嵌合部２４０は、凹部２１３の底面２１４と対向する側の面である背面２４６（ｚ軸負方向側の面）に、正面視で（ｚ軸方向から見たときに）円形の、台座部２１０側（ｚ軸負方向）に突出した突出部２４１を有する。
【００５２】
突出部２４１は、背面２４６から台座部２１０の底面２１７に向かって（ｚ軸負方向に）徐々に径が小さくなる円錐台形状に形成されている。また、突出部２４１は、凹部２１５内に納まり、かつピン孔２２２に挿通されたピン２９０の抜けを防止できるように、凹部２１５よりもわずかに小さい径で形成されている。また、突出部２４１は、凹部２１５の底面２１７に対向する面である突出面２４２の中央に、正面視で（ｚ軸方向から見たときに）円形の、ｚ軸正方向に窪んだ凹部２４３を有する。凹部２４３は、中央ピン２８０の頭部よりも径が大きく、中央ピン２８０の頭部の形状に対応した形状に形成されており、台座部２１０の中央貫通孔２１８に挿通された中央ピン２８０の頭部を凹部２４３内に収めることができる。
【００５３】
また、嵌合部２４０は、突出部２６０の周囲を囲むように配置された、嵌合部２４０を表面２４５から背面２４６に貫通する４個のネジ貫通孔２５０を有する。ネジ貫通孔２５０の各々は、ネジ２７０を、ネジ貫通孔２５０を通して台座部２１０のネジ孔２２０に捩じ込むことができるように、各ネジ孔２２０に対応した位置に設けられている。なお、嵌合部２４０が有するネジ貫通孔２５０の数は、何ら４個に限定されない。嵌合部２４０が有するネジ貫通孔２５０の数は、台座部２１０が有するネジ孔２２０の数に基づいて設定されていればよい。
【００５４】
以上のような構成により、中央ピン２８０が台座部２１０の中央貫通孔２１８に挿通され、かつ、複数（例えば、１２本）のピン２９０の各々が台座部２１０の複数（例えば、１２個）のピン孔２２２の各々に挿通された状態で、嵌合部２４０を台座部２１０に嵌合させることができる。そして、図８に示すように、複数（例えば、４本）のネジ２７０の各々を、各ネジ貫通孔２５０を通してネジ孔２２０に捩じ込むことで、掛止部２３０を台座部２１０に固定することができる。
【００５５】
突出部２６０は、正面視で（ｚ軸方向から見たときに）円形の、表面２４５からからｚ軸正方向に突出した円柱状に形成されている。表面２４５は、嵌合部２４０における、背面２４６とは反対側の面（ｚ軸正方向側の面）である。
【００５６】
突出部２６０は、壁面４００に固定された取付装置２００に電子機器本体１１０を取り付けるときに、電子機器本体１１０のシャフト１４０を嵌め込むための溝部２６２を有する。溝部２６２は、突出部２６０の側周面２６１に、表面２４５に平行に設けられている。溝部２６２は、掛止部２３０を台座部２１０に固定したときに、水平方向（ｘ軸方向）に延伸し、下方（ｙ軸負方向）に窪んだ溝となるように、形成されている。言い換えると、掛止部２３０は、溝部２６２が水平方向（ｘ軸方向）に延伸し、下方（ｙ軸負方向）に窪む向きで、台座部２１０に固定される。
【００５７】
溝部２６２は、溝部２６２の表面２４５側（ｚ軸負方向側）上部に、ｚ軸正方向に突出した突起部２６３を備える。突起部２６３は、電子機器本体１１０のシャフト１４０が溝部２６２に嵌め込まれたときに、シャフト１４０の上方（ｙ軸正方向側）に位置するように形成されている。なお、溝部２６２の開口幅は、突起部２６３によって狭くなるが、シャフト１４０を溝部２６２にスムーズに嵌め込むことができるように、シャフト１４０の径よりも大きい幅に設定されている。
【００５８】
溝部２６２の内面２６４には、溝部２６２の断面形状側面視（ｘ軸方向から見たときの断面形状）において、突起部２６３の下方（ｙ軸負方向側）に、内面２６４の最下点（最もｙ軸負方向側）となる領域が設けられている。そして、溝部２６２の内面２６４は、その最下点に向かって、傾斜している。これにより、溝部２６２に嵌め込まれたシャフト１４０は、電子機器本体１１０の重量によって最下点に案内され、突起部２６３の下方（ｙ軸負方向側）の位置に固定される。なお、溝部２６２の内面２６４には、内面２６４におけるシャフト１４０の移動をスムーズにするために、図６に示すように、溝部２６２の断面形状側面視（ｘ軸方向から見たときの断面形状）において円弧形状となる部分が含まれていてもよい。
【００５９】
図９は、実施の形態１における台座部２１０の一例を模式的に示す正面図である。図９には、台座部２１０が壁面４００に固定された状態を示す。
【００６０】
図９に示すように、台座部２１０は、中央ピン２８０および複数（例えば、１２本）のピン２９０により、壁面４００に固定される。中央ピン２８０およびピン２９０は、例えばステンレススチール等の金属材料で形成されている。しかし、中央ピン２８０およびピン２９０を形成する材料は、何らステンレススチールに限定されるものではなく、電子機器本体１１０の支持に必要な強度と耐久性とを有する材料であればよい。また、中央ピン２８０およびピン２９０は、釘であってもよく、ネジであってもよい。また、ピン２９０は、例えば１８ｍｍの長さを有するが、ピン２９０の長さは何らこの数値に限定されない。ピン２９０は、ピン孔２２２の長さを考慮して、電子機器本体１１０の支持に必要な長さに設定されていればよい。
【００６１】
図９に示すように、複数（例えば、１２本）のピン２９０の各々が挿通される台座部２１０のピン孔２２２の各々は、台座部２１０の中心にある中央貫通孔２１８（図８参照）から外周に向かう方向に放射状に延伸して設けられている。また、各ピン孔２２２は、台座部２１０の固定面２１１に対して、所定の角度θ（図５参照）で傾斜して設けられている。したがって、図９に示すように、ピン孔２２２の各々に挿通された各ピン２９０は、台座部２１０の中央貫通孔２１８から外周に向かう方向に放射状に配置され、壁面４００に対して、所定の角度θ（図５参照）で傾斜している。なお、本実施の形態では、台座部２１０が壁面４００に固定された状態において、壁面４００に対してピン孔２２２が延伸する角度を、所定の角度θという。なお、本実施の形態に具体的な一例として示す所定の角度θは３０度であるが、所定の角度θは３０度に限定されるものではなく、他の角度であってもよい。なお、本実施の形態において、所定の角度θは、２０度以上４０度以下に設定されることが望ましい。
【００６２】
本実施の形態に示す例では、図９に示すように、台座部２１０が有する１２個のピン孔２２２に関して、３個のピン孔２２２を１つのピン孔群２２２ａとする。したがって、図９に示す例では、台座部２１０は、４つのピン孔群２２２ａを有する。なお、台座部２１０が有するピン孔２２２の数は何ら１２個に限定されるものではく、ピン孔群２２２ａを構成するピン孔２２２の数も何ら３個に限定されない。
【００６３】
台座部２１０において、各ピン孔群２２２ａは、台座部２１０の側周面２１６に実質的に等間隔に配置されている。また、各ピン孔群２２２ａにおいて、各ピン孔２２２は、実質的に等間隔（例えば、中央貫通孔２１８を中心として、約２２．５度毎）に配置されている。また、ピン孔２２２は、ネジ孔２２０に重ならない位置に配置されている。すなわち、各ピン孔群２２２ａは、ピン孔群２２２ａとピン孔群２２２ａとの間にネジ孔２２０が配置されるように、配置されている。したがって、図９に示す例では、台座部２１０において、１２個のピン孔２２２および４個のネジ孔２２０は、中央貫通孔２１８を中心として、２２．５度毎に形成されている。
【００６４】
［１−２．電子機器本体の取付動作］
以上のように構成された取付装置２００に電子機器本体１１０を取り付ける動作を、図５および図６を用いて説明する。
【００６５】
まず、電子機器本体１１０の壁面４００への取り付け位置を考慮して、壁面４００における取付装置２００の固定位置を決定する。なお、本実施の形態では、電子機器本体１１０が２つの本体貫通孔１３０を有するので、２つの本体貫通孔１３０に対応する壁面４００の２箇所を、取付装置２００の固定位置として決定する。
【００６６】
次に、台座部２１０の固定面２１１を、決定されたその位置で壁面４００に当接させる。この状態で、台座部２１０の中央貫通孔２１８に中央ピン２８０を挿通し、壁面４００に中央ピン２８０を挿し込む。中央ピン２８０はネジであってもよく、その場合、中央ピン２８０は壁面４００に捩じ込まれる。これにより、壁面４００に、台座部２１０が仮固定される。２個の台座部２１０が壁面４００に仮固定された状態で、水準器（または、水平器）等を用いて、２個の台座部２１０が互いに実質的に水平（ｘ軸方向に実質的に平行）に配置されているか否かを確認することが望ましい。２個の台座部２１０が互いに水平（ｘ軸方向に平行）でなければ、２個の台座部２１０が互いに水平（ｘ軸方向に平行）となるように、配置位置を調整する。なお、本実施の形態では、この時点での取付装置２００は、中央ピン２８０で壁面４００に仮固定されているだけなので、容易に壁面４００から取り外すことができ、配置位置の調整が容易である。
【００６７】
次に、複数（例えば、１２本）のピン２９０の各々を、各ピン孔２２２に挿通して、壁面４００に挿し込む。ピン２９０はネジであってもよく、その場合、ピン２９０は壁面４００に捩じ込まれる。これにより、壁面４００に、台座部２１０が固定される。
【００６８】
なお、本実施の形態では、上述したように、ピン２９０は、壁面４００に対して、所定の角度θ（例えば、３０度）で傾斜している。したがって、ピン２９０の長さ（例えば、１８ｍｍ）が、壁面４００を有する壁の厚み（例えば９．５ｍｍ）より大きくても、ピン２９０は、その壁を貫通しない。具体的には、以下の式が満たされる範囲であれば、ピン２９０は、壁面４００を有する壁を貫通しない。
【００６９】
（ピン２９０の長さ−ピン孔２２２の長さ）×ｓｉｎθ≦壁の厚み
そのため、本実施の形態では、壁面４００を有する壁の厚みが比較的薄くても、ピン２９０が壁を貫通せずに壁の中に挿し込まれるので、壁とピン２９０との結合強度を高め、ピン２９０を壁から抜けにくくすることができる。これにより、壁面４００に固定された台座部２１０における電子機器本体１１０を支持する強度（耐荷重）を高めることができる。
【００７０】
２個の台座部２１０を壁面４００に固定し終えたら、壁面４００に固定された台座部２１０に、掛止部２３０の嵌合部２４０を嵌合させる。そして、複数（例えば、４個）のネジ２７０の各々を、掛止部２３０の各ネジ貫通孔２５０を通して、台座部２１０の各ネジ孔２２０に捩じ込む。これにより、掛止部２３０は台座部２１０に固定される。
【００７１】
なお、掛止部２３０が台座部２１０と嵌合することで、掛止部２３０の突出部２４１は、台座部２１０の凹部２１５内に納まり、ピン孔２２２に挿通された各ピン２９０の抜けを抑制する。これにより、壁面４００に挿し込まれたピン２９０は、壁からより抜けにくくなる。
【００７２】
２個の台座部２１０の各々に掛止部２３０を固定し終えたら、台座部２１０に固定された掛止部２３０の一部が電子機器本体１１０の本体貫通孔１３０に挿入されるように、電子機器本体１１０を、壁面４００に近づける。そして、電子機器本体１１０の２本のシャフト１４０の各々を、各掛止部２３０の溝部２６２に嵌め込む。このようにして、電子機器本体１１０は、壁面４００に固定された２個の取付装置２００に取り付けられる。
【００７３】
なお、電子機器本体１１０の本体貫通孔１３０を塞ぐキャップ（図示せず）を、本体貫通孔１３０に取り付けてもよい。
【００７４】
［１−３．効果等］
以上のように、本実施の形態における取付装置は、壁面に電子機器本体を取り付けるための取付装置であって、複数のピン孔を有する台座部と、複数のピン孔の各々に挿通され、壁面に台座部を固定する複数のピンと、台座部に固定され、電子機器本体が掛止される掛止部と、を備える。台座部は、壁面に固定される面である固定面を有し、複数のピン孔の各々は、固定面に対し、台座部の外側に向かって所定の角度で設けられる。
【００７５】
また、本実施の形態における電子機器は、取付装置と、電子機器本体と、を備える。
【００７６】
なお、取付装置２００は取付装置の一例である。壁面４００は壁面の一例である。電子機器本体１１０は電子機器本体の一例である。ピン孔２２２はピン孔の一例である。台座部２１０は台座部の一例である。ピン２９０はピンの一例である。掛止部２３０は掛止部の一例である。固定面２１１は固定面の一例である。電子機器１００は電子機器の一例である。
【００７７】
例えば、実施の形態１に示した取付装置２００は、壁面４００に電子機器本体１１０を取り付けるときに用いられ、台座部２１０と、複数（例えば、１２本）のピン２９０と、掛止部２３０と、を備える。台座部２１０は、複数（例えば、１２個）のピン孔２２２を有する。複数のピン２９０の各々は、複数のピン孔２２２の各々に挿通され、壁面４００に台座部２１０を固定する。掛止部２３０は、台座部２１０に固定され、電子機器本体１１０が掛止される。台座部２１０は、壁面４００に固定される面である固定面２１１を有する。複数のピン孔２２２の各々は、固定面２１１に対し、台座部２１０の外側に向かって所定の角度θで設けられる。
【００７８】
また、実施の形態１に示した電子機器１００は、取付装置２００と電子機器本体１１０とを備える。
【００７９】
このように構成された取付装置２００では、各ピン孔２２２は、固定面２１１に対し、台座部２１０の外側に向かって所定の角度θで設けられる。このため、各ピン２９０は、壁面４００を有する壁（例えば、石膏ボード、等）内において、分散された位置で台座部２１０を固定できる。すなわち、取付装置２００は、電子機器本体１１０による荷重を壁（例えば、石膏ボード）内の広い領域に分散させることができる。また、各ピン孔２２２が台座部２１０の外側に向かって設けられているため、壁（例えば、石膏ボード）の厚みよりも長いピン２９０を使用することができる。これにより、壁（例えば、石膏ボード）の厚みが比較的薄い場合でも、複数のピン２９０と石膏ボードとの摩擦面の面積（接触面積）を相対的に大きくすることができる。これにより、複数のピン２９０と壁（例えば、石膏ボード）との結合強度が向上する。
【００８０】
以上のことから、取付装置２００は、各ピン２９０を壁（例えば、石膏ボード）の裏側に配置された柱に固定させなくても、電子機器本体１１０の支持に必要な強度（耐荷重）を得ることが可能となる。そのため、ユーザは、壁（例えば、石膏ボード）に取付装置２００を固定するだけで、壁面４００に電子機器本体１１０を取り付けることが可能となる。
【００８１】
また、取付装置２００では、各ピン２９０を壁（例えば、石膏ボード）の裏側の柱に固定させなくてもよいため、取付装置２００の固定位置の自由度が高くなる。すなわち、壁面４００における電子機器本体１１０の取付位置の自由度が高くなる。
【００８２】
当該取付装置において、複数のピン孔の各々は、台座部の中心から放射状に設けられてもよい。
【００８３】
例えば、実施の形態１に示した取付装置２００において、複数のピン孔２２２の各々は、台座部２１０の中心から放射状に設けられる。
【００８４】
このように構成された取付装置２００では、各ピン２９０は、壁（例えば、石膏ボード）内において、より分散された位置で台座部２１０を固定することができる。そのため、取付装置２００は、さらに、強度（耐荷重）を高めることができる。
【００８５】
当該取付装置において、所定の角度は、２０度以上４０度以下であってもよい。
【００８６】
例えば、実施の形態１に示した取付装置２００において、所定の角度θは、２０度以上４０度以下である。
【００８７】
このように構成された取付装置２００では、壁面４００に対する引っ張り方向の荷重および壁面４００と平行方向の荷重のそれぞれに対して、強度（耐荷重）を得やすい。
【００８８】
当該取付装置において、掛止部は、壁面に取り付けられた状態で水平方向に延伸するシャフトを備えた電子機器本体のシャフトが嵌まり込む溝部を備えていてもよい。
【００８９】
なお、シャフト１４０はシャフトの一例である。
【００９０】
例えば、実施の形態１に示した構成例では、電子機器本体１１０は、電子機器本体１１０が壁面４００に取り付けられた状態で水平方向に延伸するシャフト１４０を備える。そして、取付装置２００の掛止部２３０は、シャフト１４０が嵌まり込む溝部２６２を備える。
【００９１】
このように構成された取付装置２００には、シャフト１４０を備える電子機器本体１１０を、安定した状態で取り付けることができる。
【００９２】
当該取付装置において、溝部は、シャフトを備えた電子機器本体が取付装置に取り付けられた状態において、シャフトの上方に位置する突起部を備えていてもよい。
【００９３】
なお、突起部２６３は突起部の一例である。
【００９４】
例えば、実施の形態１に示した取付装置２００において、溝部２６２は、シャフト１４０を備えた電子機器本体１１０が取付装置２００に取り付けられた状態でシャフト１４０の上方に位置する突起部２６３を備える。
【００９５】
このように構成された取付装置２００では、取付装置２００に取り付けられた電子機器本体１１０に、持ち上がる方向（ｙ軸正方向）の外力が誤って（または、予期せず）加わったとしても、突起部２６３が、シャフト１４０が上方へ移動することを規制する。これにより、シャフト１４０が誤って（または、予期せず）溝部２６２から外れてしまうことを抑制できるので、電子機器本体１１０が溝部２６２から落下して破損する可能性を低減することができる。
【００９６】
当該取付装置において、溝部は、断面形状において、溝部の内面に円弧形状の部分を含んでいてもよい。
【００９７】
なお、内面２６４は、溝部の内面の一例である。
【００９８】
例えば、実施の形態１に示した取付装置２００において、溝部２６２は、断面形状側面視（ｘ軸方向から見たときの断面形状）において、溝部２６２の内面２６４に円弧形状の部分を含む。
【００９９】
例えば、電子機器本体１１０の下端が壁面４００から離れる方向（ｚ軸正方向）に引っ張られた場合、電子機器本体１１０は、電子機器本体１１０の上端の壁面４００側の辺を中心として回動する。このとき、上述の構成を有する取付装置２００では、溝部２６２の内面２６４に円弧形状を含むため、シャフト１４０が内面２６４に沿って移動しやすい。これにより、シャフト１４０および溝部２６２に応力が集中することが抑制され、電子機器１００が破損する可能性を低減することができる。また、実施の形態１に示した取付装置２００では、溝部２６２の断面形状側面視（ｘ軸方向から見たときの断面形状）において、溝部２６２の内面２６４における突起部２６３の下方の位置に、内面２６４の最下点（最もｙ軸負方向側）となる領域が設けられている。そして、溝部２６２の内面２６４は、その最下点に向かって傾斜している。そのため、溝部２６２は、シャフト１４０が溝部２６２に嵌め込まれるときに、電子機器本体１１０の重量によってシャフト１４０を突起部２６３の下方に案内することができる。
【０１００】
当該電子機器において、電子機器本体は、掛止部の少なくとも一部が挿入される貫通孔である本体貫通孔を備えていてもよい。
【０１０１】
なお、本体貫通孔１３０は本体貫通孔の一例である。
【０１０２】
例えば、実施の形態１に示した電子機器１００において、電子機器本体１１０は、掛止部２３０の少なくとも一部が挿入される貫通孔である本体貫通孔１３０を備える。
【０１０３】
このように構成された電子機器１００を使用するユーザは、取付装置２００に電子機器本体１１０を取り付ける際に、電子機器本体１１０の本体貫通孔１３０を通して取付装置２００の位置を確認できる。そのため、ユーザは、壁面４００に固定された取付装置２００に電子機器本体１１０を容易に取り付けることができる。
【０１０４】
（実施の形態２）
次に、図１０〜図１５を参照しながら、実施の形態２について説明する。実施の形態２では、シートを用いて、電子機器が有する複数の取付装置を壁面に固定する方法を説明する。なお、実施の形態２における取付装置を含む電子機器の構成は、実施の形態１で説明した取付装置２００を含む電子機器１００と実質的に同じであるので、実施の形態２において説明する電子機器も電子機器１００とし、詳細な説明は省略する。また、実施の形態２を含む以下の実施の形態において、実施の形態１で説明した構成要素と実質的に同じ構成要素には、その構成要素と同じ符号を付与し、説明を省略する。
【０１０５】
［２−１．シート］
図１０は、実施の形態２におけるシート５００の一例を模式的に示す正面図である。
【０１０６】
実施の形態２では、電子機器１００が有する２個の取付装置２００は、シート５００を用いた固定方法により、壁面４００の、鉛直方向（ｙ軸方向）において互いに同じ高さの配置位置に、水平方向（ｘ軸方向）に互いの間に適切な間隔を空けて並列に配置されて、固定される。言い換えると、実施の形態２では、シート５００を用いることで、電子機器１００が有する２個の取付装置２００を、壁面４００の、水平方向（ｘ軸方向）に並列した配置位置に（すなわち、水平方向に一列で並んだ状態で）、固定することができる。なお、２個の取付装置２００の水平方向（ｘ軸方向）における互いの離間距離は、電子機器本体１１０が有する２つ本体貫通孔１３０の配置位置に基づいて設定される。そして、電子機器本体１１０は、互いに水平に配置されて壁面４００に固定された２個の取付装置２００に取り付けられることにより、水平な状態で壁面４００に固定される。
【０１０７】
図１０に示すように、シート５００は、仮固定部５１０と、複数のシート開口部５２０と、を備える。なお、本実施の形態では、シート５００がシート開口部５２０を２つ備える構成例を説明するが、シート５００が備えるシート開口部５２０の数は何ら２つに限定されない。シート５００が備えるシート開口部５２０の数および配置位置は、電子機器本体１１０が備える本体貫通孔１３０の数および配置位置に基づいて設定される。
【０１０８】
シート５００は、例えば厚紙等の、比較的軽量かつ加工が容易な材料で形成されている。なお、シート５００を形成する材料は、何ら厚紙に限定されるものではなく、他の材料であってもよい。シート５００は、比較的軽量かつ加工が容易で、後述するシート５００の使用状態（シート５００が仮固定部５１０でピンに掛止された状態）のときに、破れたり撓んだりしない程度の強度を有する材料で形成されることが望ましい。
【０１０９】
シート５００は、図１０に示される対称軸Ａに対して対称な形状を有する。具体的には、正面視における（ｚ軸方向から見た）シート５００の形状は、対称軸Ａに対して対称な形状を有する長方形である。また、正面視における（ｚ軸方向から見た）シート５００の形状は、正面視における（ｚ軸方向から見た）電子機器本体１１０の形状と、実質的に同じである。なお、壁面４００における電子機器本体１１０の取り付け位置をユーザに視覚的に示すことができるように、シート５００の表面（ｚ軸正方向側の面）に、電子機器本体１１０を正面視した（ｚ軸方向から見た）ときの外観を示す絵または写真が印刷されていてもよい。また、対称軸Ａの両側に、実質的に均等に重力が作用する形状であれば、シート５００は、長方形以外の形状であってもよい。例えば、シート５００は、曲線を含んだ形状であってもよい。
【０１１０】
仮固定部５１０は、シート５００に設けられた開口部であり、シート５００を貫通している。仮固定部５１０は、対称軸Ａ上のシート５００の一端に配置されている。ここで、対称軸Ａ上のシート５００の一端とは、対称軸Ａと直交する方向に沿ってシート５００を３分割（すなわち、シート５００の短辺が３分割されるようにシート５００を３分割）した場合の端側の領域における、対称軸Ａ上の一点のことである。仮固定部５１０の開口形状は、円形状に形成されている。
【０１１１】
図１１および図１２を用いて、仮固定部５１０の詳細を説明する。
【０１１２】
図１１は、実施の形態２におけるシート５００の一部を拡大して示す正面図である。図１１には、図１０において一点鎖線で囲んだ部分を拡大して示す。
【０１１３】
図１２は、実施の形態２におけるシート５００の仮固定部５１０の構造の一例を模式的に示す部分断面図である。図１２には、図１１におけるＸＩＩ−ＸＩＩ線断面図を示す。
【０１１４】
図１１および図１２に示すように、シート５００は、仮固定部５１０の周縁５４０を覆って保護する保護金具５３０を有する。保護金具５３０の一部は、図１２に示すように、シート開口部５２０からシート５００の両面側（ｚ軸正方向側の面およびｚ軸負方向側の面）にはみ出しており、保護金具５３０のはみ出した部分は、はみ出した側の面と接するように折り返されている。これにより、仮固定部５１０の周縁５４０および周縁５４０の周囲が保護金具５３０で覆われる。
【０１１５】
シート開口部５２０は、図１０に示すように、対称軸Ａと直交する直交軸Ｂ上に設けられた開口部であり、シート５００を貫通している。一方のシート開口部５２０はシート５００の水平方向（ｘ軸方向）の一端に設けられており、他方のシート開口部５２０はシート５００の水平方向（ｘ軸方向）の他端に設けられている。ここで、シート５００の水平方向の一端とは、直交軸Ｂと直交する方向に沿ってシート５００を５分割（すなわち、シート５００の長辺が５分割されるようにシート５００を５分割）した場合の一端側の領域のことである。また、シート５００の水平方向の他端とは、５分割されたシート５００の他端側（対称軸Ａに対してシート５００の水平方向の当該一端と反対側）の領域のことである。各シート開口部５２０の開口形状は、円形状に形成されている。しかし、シート開口部５２０の開口形状は、何ら円形に限定されない。例えば、台座部２１０の正面視の（ｚ軸方向から見た）形状が円形以外の形状（例えば、三角形、四角形、多角形、楕円、等）である場合、シート開口部５２０の開口形状を、台座部２１０の正面視の形状に対応する形状にしてもよい。
【０１１６】
図１３は、実施の形態２におけるシート５００および台座部２１０が壁面４００に固定された状態の一例を模式的に示す正面図である。
【０１１７】
なお、本実施の形態において、一方のシート開口部５２０と他方のシート開口部５２０とは、互いに実質的に同じ構造を有する。したがって、以下では、一方のシート開口部５２０について説明し、他方のシート開口部５２０についての説明は省略または簡略化する。
【０１１８】
図１３に示すように、シート開口部５２０は、シート開口部５２０の径を台座部２１０の径よりも大きくし、正面視において（ｚ軸方向から見たときに）、台座部２１０を取り囲むことができる形状に形成されている。
【０１１９】
［２−２．電子機器の固定方法］
次に、シート５００を用いて２つの台座部２１０を水平方向（ｘ軸方向）に並列に配置して壁面４００に固定し、これにより電子機器１００を水平な状態で壁面４００に固定する方法について、図１０、図１３、図１４および図１５を用いて説明する。
【０１２０】
図１４は、実施の形態２における電子機器１００の固定方法の一例を示すフローチャートである。
【０１２１】
図１５は、実施の形態２における壁面４００に固定されたシート５００および台座部２１０の構造の一例を模式的に示す部分断面図である。図１５には、図１３におけるＸＶ−ＸＶ線断面図を示す。
【０１２２】
以下、図１４のフローチャートに基づいて説明する。
【０１２３】
まず、シート５００を、壁面４００に、仮固定部５１０を中心軸として回動可能に固定する（ステップＳ１１）。
【０１２４】
ステップＳ１１では、シート５００を、シート５００の裏面５５０を壁面４００に向けるとともに、シート５００の仮固定部５１０が設けられた一端が鉛直方向の上側（ｙ軸正方向側）に配置される向きにする。そして、シート５００を、壁面４００における電子機器本体１１０の取り付け位置に配置して、裏面５５０を壁面４００に当接させる。この状態で、シート５００の仮固定部５１０の開口部に画鋲等の掛止め用のピン（図示せず）の軸を通し、壁面４００にそのピンの先端を挿し込む。このとき、ピンの軸と仮固定部５１０の開口部の上端（仮固定部５１０の周縁５４０を覆う保護金具５３０の上端）とが接することにより、シート５００はピンに掛止される。この状態のシート５００は、仮固定部５１０の開口部の上端を中心軸として壁面４００に平行に（すなわち、ｘ−ｙ平面上で）回動可能である。なお、この状態のシート５００では、シート５００の自重が、仮固定部５１０の開口部の上端に掛かることになるが、保護金具５３０によって保護されることにより、仮固定部５１０の変形または破損が防止される。以上のようにして、シート５００が、壁面４００に、仮固定部５１０を中心軸として回動可能に固定される。
【０１２５】
ステップＳ１１では、シート５００が、対称軸Ａ上の点で、壁面４００に挿し込まれたピンによって、回動可能な状態で支持される。したがって、シート５００には、正面視で（ｚ軸方向から見たときに）対称軸Ａの両側に、実質的に均等に重力が作用する。これにより、シート５００の対称軸Ａは鉛直方向（ｙ軸に平行な方向）に保たれ、対称軸Ａと直交する直交軸Ｂは水平方向（ｘ軸に平行な方向）に保たれる。このようにして、直交軸Ｂ上に設けられた２つのシート開口部５２０は、互いに水平（ｘ軸に平行）となる。
【０１２６】
次に、シート開口部５２０に対応する壁面４００の位置に、台座部２１０を固定する（ステップＳ１２）。
【０１２７】
ステップＳ１２では、図１４に示すように、壁面４００に垂直な方向（ｚ軸方向）から見て、台座部２１０がシート開口部５２０内に収まる壁面４００上の位置で、台座部２１０の固定面２１１を、シート開口部５２０を通して壁面４００に当接させる。この状態で、台座部２１０の中央貫通孔２１８に中央ピン２８０を挿通し、壁面４００に中央ピン２８０を挿し込む。これにより、壁面４００に、台座部２１０が仮固定される。次に、複数（例えば、１２本）のピン２９０の各々を、各ピン孔２２２に挿通して、壁面４００に挿し込む。このようにして、シート開口部５２０に対応する壁面４００の位置に、台座部２１０が固定される。
【０１２８】
次に、壁面４００からシート５００を取り外す（ステップＳ１３）。
【０１２９】
ステップＳ１２において、２個の台座部２１０を壁面４００に固定し終えたら、続くステップＳ１３では、仮固定部５１０を通して壁面４００に挿し込まれたピンを、壁面４００から取り外す。そして、壁面４００からシート５００を取り外す。なお、正面視において（ｚ軸方向から見たときに）、シート開口部５２０の径は台座部２１０の径よりも大きく、台座部２１０がシート開口部５２０を通り抜けることができるので、壁面４００に台座部２１０が固定された後であっても、壁面４００からシート５００を取り外すことができる。
【０１３０】
次に、台座部２１０に掛止部２３０を固定する（ステップＳ１４）。
【０１３１】
ステップＳ１４では、壁面４００に固定された台座部２１０に、掛止部２３０の嵌合部２４０を嵌合させる。そして、複数（例えば、４本）のネジ２７０の各々を、掛止部２３０の各ネジ貫通孔２５０を通して、台座部２１０の各ネジ孔２２０に捩じ込む。これにより、台座部２１０に掛止部２３０が固定される。
【０１３２】
なお、掛止部２３０が台座部２１０と嵌合することで、掛止部２３０の突出部２４１は、台座部２１０の凹部２１５内に納まり、ピン孔２２２に挿通された各ピン２９０の抜けを抑制する。これにより、壁面４００に挿し込まれたピン２９０は、壁面４００からより抜けにくくなる。
【０１３３】
最後に、取付装置２００に、電子機器本体１１０を取り付ける（ステップＳ１５）。
【０１３４】
ステップＳ１４において、２個の台座部２１０の各々に掛止部２３０を固定し終えたら、続くステップＳ１５では、台座部２１０に固定された掛止部２３０の一部が電子機器本体１１０の本体貫通孔１３０に挿入されるように、電子機器本体１１０を、壁面４００に近づける。そして、電子機器本体１１０の２本のシャフト１４０の各々を、各掛止部２３０の溝部２６２に嵌め込む。これにより、壁面４００に固定された２個の取付装置２００に、電子機器本体１１０が取り付けられる（ステップＳ１５）。
【０１３５】
以上のように、本実施の形態に示す方法では、シート５００を用いることで、２つの取付装置２００を水平方向（ｘ軸方向）に並列に配置して壁面４００に固定できる。これにより、ユーザは、容易に、電子機器１００を水平な状態で壁面４００に固定することができる。
【０１３６】
なお、電子機器本体１１０の本体貫通孔１３０を塞ぐキャップ（図示せず）を、本体貫通孔１３０に取り付けてもよい。
【０１３７】
［２−３．効果等］
以上のように、本実施の形態における取付装置の固定方法は、複数のピン孔を有する台座部と、複数のピン孔の各々に挿通され、壁面に台座部を固定する複数のピンと、台座部に固定され、パネル状の電子機器本体が掛止される掛止部と、を備える取付装置を壁面に複数固定する取付装置の固定方法であって、壁面に、対称軸に対して対称な形状を有するシートを、対称軸上に位置する仮固定部を中心として回動可能に固定し、シートにおいて対称軸と直交する直交軸上に設けられた複数のシート開口部に対応する壁面の位置に台座部を固定し、台座部に掛止部を固定する。
【０１３８】
また、本実施の形態におけるシートは、複数の取付装置を壁面に固定するときに使用するシートであって、対称軸に対して対称な形状を有する。当該シートは、対称軸上に位置する仮固定部と、対称軸と直交する直交軸上に設けられた複数のシート開口部と、を備える。
【０１３９】
なお、シート５００はシートの一例である。仮固定部５１０は仮固定部の一例である。対称軸Ａは対称軸の一例である。直交軸Ｂは直交軸の一例である。シート開口部５２０はシート開口部の一例である。長方形は、対称軸に対して対称な形状の一例である。
【０１４０】
例えば、実施の形態２に示した取付装置の固定方法は、複数（例えば、１２個）のピン孔２２２を有する台座部２１０と、複数のピン孔２２２の各々に挿通され、壁面４００に台座部２１０を固定する複数（例えば、１２本）のピン２９０と、台座部２１０に固定され、パネル状の電子機器本体１１０が掛止される掛止部２３０と、を備える取付装置２００を壁面４００に複数（例えば、２個）固定する取付装置の固定方法である。取付装置の固定方法は、壁面４００に、対称軸Ａに対して対称な形状を有するシート５００を、対称軸Ａ上に位置する仮固定部５１０を中心として回動可能に固定し、シート５００において対称軸Ａと直交する直交軸Ｂ上に設けられた複数（例えば、２つ）のシート開口部５２０に対応する壁面４００の位置に台座部２１０を固定し、台座部２１０に掛止部２３０を固定する。
【０１４１】
また、実施の形態２に示したシート５００は、複数（例えば、２個）の取付装置２００を壁面４００に固定するときに使用するシートであって、対称軸Ａに対して対称な形状（例えば、長方形）を有する。シート５００は、対称軸Ａ上に位置する仮固定部５１０と、対称軸Ａと直交する直交軸Ｂ上に設けられた複数（例えば、２つ）のシート開口部と、を備える。
【０１４２】
このように構成されたシート５００を使用するユーザは、電子機器本体１１０を取り付けるための複数（例えば、２個）の取付装置２００を壁面４００に固定するときに、水平面に対する傾斜を調べるための機器（例えば、水準器または水平器、等）を用いずに、複数の取付装置２００を、水平方向（ｘ軸方向）に並列な配置位置で（すなわち、水平方向に一列に並んだ配置位置で）固定することが、容易にできる。そのため、ユーザは、電子機器本体１１０を、水平な状態で壁面４００に固定することが、容易にできる。
【０１４３】
当該シートにおいて、シート開口部は、正面視において、取付装置が有する台座部を取り囲む形状に形成されていてもよい。
【０１４４】
例えば、実施の形態２に示したシート５００おいて、シート開口部５２０は、正面視において（ｚ軸方向から見たときに）、台座部２１０を取り囲む形状に形成されている。
【０１４５】
このように構成されたシート５００を使用するユーザは、台座部２１０がシート開口部５２０を通過できるので、複数（例えば、２個）の台座部２１０を壁面４００に固定し終えた後に、仮固定部５１０を通して壁面４００に挿し込まれたピンを壁面４００から取り外すだけで（ステップＳ１３参照）、壁面４００からシート５００を容易に取り外すことができる。
【０１４６】
当該シートにおいて、仮固定部は、対称軸上のシートの一端に位置していてもよい。
【０１４７】
例えば、実施の形態２に示したシート５００において、仮固定部５１０は、対称軸Ａ上のシート５００の一端に位置する。
【０１４８】
このように構成されたシート５００は、対称軸Ａ上の点で壁面４００に挿し込まれたピンによってシート５００が支持されているときに、正面視で（ｚ軸方向から見たときに）対称軸Ａの両側に、実質的に均等に重力が作用する。そのため、対称軸Ａを鉛直方向に保ち、対称軸Ａと直交する直交軸Ｂを水平方向（ｘ軸に平行な方向）に保つことが、容易になる。これにより、ユーザは、電子機器本体１１０を、水平な状態で壁面４００に取り付けることが、より容易にできる。
【０１４９】
当該シートにおいて、仮固定部は、シートに設けられた開口部であってもよい。
【０１５０】
例えば、実施の形態２に示したシート５００において、仮固定部５１０は、シート５００に設けられた開口部である。
【０１５１】
このように構成されたシート５００では、仮固定部５１０を通して壁面４００にピンを挿し込むことができる。また、仮固定部５１０の周縁５４０が保護金具５３０で覆われることで、壁面４００に挿し込まれたピンと仮固定部５１０との間の摩擦が低減するので、シート５００は、より回動しやすい状態でピンに掛止される。これにより、シート５００の対称軸Ａは、より鉛直方向に保たれやすくなる。これにより、ユーザは、電子機器本体１１０を、水平な状態で壁面４００に取り付けることが、より容易にできる。
【０１５２】
当該シートの正面視における形状は、当該シートを用いて壁面に取り付ける電子機器本体の正面視における形状と略同一であってもよい。
【０１５３】
例えば、実施の形態２に示したシート５００の正面視における（ｚ軸方向から見たときの）形状は、シート５００を用いて壁面４００に取り付ける電子機器本体１１０の正面視における（ｚ軸方向から見たときの）形状と実質的に同じである。
【０１５４】
このように構成されたシート５００を使用するユーザは、仮固定部５１０を通して壁面４００にピンを挿し込んで、そのピンにシート５００を掛止するだけで、電子機器本体１１０の壁面４００における配置位置を、視覚的に確認することができる。これにより、ユーザは、壁面４００における電子機器本体１１０の配置位置の位置決めが容易になる。なお、上述の「略同一」および「実質的に同じ」とは、電子機器本体１１０の壁面４００における配置位置を、シート５００を用いて確認できる程度に、シート５００の正面視における（ｚ軸方向から見たときの）形状が、電子機器本体１１０の正面視における（ｚ軸方向から見たときの）形状に、類似しているか、または同一である、ことを意味する。
【０１５５】
（他の実施の形態）
以上のように、本出願において開示する技術の例示として、実施の形態１および２を説明した。しかしながら、本開示における技術は、これに限定されず、変更、置き換え、付加、省略等を行った実施の形態にも適用できる。また、上記実施の形態１および２で説明した各構成要素を組み合わせて、新たな実施の形態とすることも可能である。
【０１５６】
そこで、以下、他の実施の形態を例示する。
【０１５７】
他の実施の形態として、まず、台座部の変形例を、図１６および図１７を用いて説明する。
【０１５８】
図１６は、実施の形態の変形例における台座部８１０の一例を模式的に示す正面図である。図１６には、台座部８１０が壁面４００に固定された状態を示す。なお、以下では、実施の形態１で説明した台座部２１０と本変形例における台座部８１０との相違点について、図１６を用いて説明する。なお、実施の形態１で説明した構成要素と実質的に同じ構成の構成要素には、その構成要素と同じ符号を付与し、説明を省略する。
【０１５９】
実施の形態１では、台座部２１０が正面視で（ｚ軸方向から見て）円形に形成された構成例を説明したが、台座部の形状は何ら円形に限定されない。台座部の正面視の形状は、三角形、四角形、多角形、または楕円、等であってもよい。本変形例では、台座部８１０が、正面視で（ｚ軸方向から見て）四角形の四角柱状に形成された構成例を説明する。
【０１６０】
台座部８１０は、表面２１２の中央に、正面視で（ｚ軸方向から見たときに）四角形の、ｚ軸負方向に四角柱状に窪んだ凹部８１３を有する。さらに、台座部８１０は、凹部８１３の底面８１４の中央に、正面視で（ｚ軸方向から見たときに）四角形の、ｚ軸負方向に窪んだ凹部８１５を有する。したがって、凹部８１５の一辺は凹部８１３の一辺よりも短く、凹部８１５の底面８１７は凹部８１３の底面８１４よりもさらにｚ軸負方向側にある。
【０１６１】
凹部８１５は、窪みの形状が、底面８１４から固定面２１１側の底面８１７に向かって（ｚ軸負方向に）徐々に辺が小さくなる四角錐台形状に形成されている。そのため、凹部８１５の側周面８１６が有する４つの面は、底面８１４に対して垂直ではなく傾斜（すなわち、ｚ軸に対して傾斜）している。底面８１４への垂直軸に対する側周面８１６の傾き（ｚ軸に対する傾斜角度）は、例えば３０度である。なお、側周面８１６の傾斜角度は、実施の形態１で説明した側周面２１６の傾斜角度と同様に説明されるので、重複する説明を省略する。
【０１６２】
凹部８１５の側周面８１６には、ピン２９０を挿通するために側周面８１６から固定面２１１まで貫通したピン孔８２２が、複数形成されている。なお、本変形例において、取付装置２００は、ピン２９０を１６本備え、台座部８１０にピン孔８２２を１６個備えている。また、凹部８１５の底面８１７の中心には、中央ピン２８０を挿通するために底面８１７から固定面２１１まで貫通した中央貫通孔２１８が形成されている。また、凹部８１３の底面８１４には、中央貫通孔２１８を中心とした四角形の頂点に配置された４個のネジ孔８２０が形成されている。各ネジ孔８２０は、底面８１４の四隅の各々の付近に配置されている。
【０１６３】
本変形例に示す例では、図１６に示すように、台座部８１０が有する１６個のピン孔８２２に関して、４個のピン孔８２２を１つのピン孔群８２２ａとする。したがって、図１６に示す例では、台座部８１０は、４つのピン孔群８２２ａを有する。
【０１６４】
台座部８１０において、各ピン孔群８２２ａは、台座部８１０の側周面８１６の４面の各々に形成されている。また、各ピン孔群８２２ａにおいて、各ピン孔８２２は、実質的に等間隔に配置されている。また、ピン孔８２２は、ネジ孔８２０に重ならない位置に配置されている。具体的には、ピン孔群８２２ａのうちの１つは、図１６に示すｘ軸正方向に延伸して設けられ、ピン孔群８２２ａのうちの他の１つは、図１６に示すｘ軸負方向に延伸して設けられている。また、ピン孔群８２２ａのうちのさらに他の１つは、図１６に示すｙ軸正方向に延伸して設けられ、ピン孔群８２２ａのうちの残りの１つは、図１６に示すｙ軸負方向に延伸して設けられている。なお、各ピン孔８２２が図１６に示すように配置されている状態は、本開示においては、複数のピン孔の各々が台座部の中心から放射状に設けられた状態に含まれる。
【０１６５】
本変形例における複数のピン孔８２２の構成は、図１６に示す構成例に限定されない。図１７は、実施の形態の変形例における台座部８１０の他の一例を模式的に示す正面図である。図１７に示すように、複数のピン孔８２２は以下のような構成であってもよい。ピン孔群８２２ａのうちの１つは、図１７に示すｘ軸正方向から時計回りに４５度回転した方向に延伸して設けられ、ピン孔群８２２ａのうちの他の１つは、図１７に示すｘ軸負方向から時計回りに４５度回転した方向に延伸して設けられている。また、ピン孔群８２２ａのうちのさらに他の１つは、図１７に示すｙ軸正方向から時計回りに４５度回転した方向に延伸して設けられ、ピン孔群８２２ａのうちの残りの１つは、図１７に示すｙ軸負方向から時計回りに４５度回転した方向に延伸して設けられている。
【０１６６】
このように、各ピン孔８２２は、台座部８１０の外側に向かって、少なくとも４方向に延びていてもよい。なお、各ピン孔８２２が図１７に示すように配置されている状態も、本開示においては、複数のピン孔の各々が台座部の中心から放射状に設けられた状態に含まれる。
【０１６７】
なお、台座部８１０に嵌合する掛止部２３０においては、嵌合部２４０および突出部２４１が、台座部８１０に対応した形状に形成されていることが望ましい。また、シート開口部５２０は、台座部８１０に対応した形状に形成されていてもよい。
【０１６８】
実施の形態では、電子機器１００が取付装置２００を２つ備える構成例を説明したが、電子機器１００が備える取付装置２００の数は２つに限定されない。電子機器１００が備える取付装置２００の数は、１つであってもよく、３つ以上であってもよい。電子機器１００が備える取付装置２００の数が１つの場合は、電子機器本体１１０は、電子機器本体１１０の水平方向（ｘ軸方向）の略中心位置で取付装置２００に掛止されることが望ましい。また、電子機器１００が備える取付装置２００の数が３つ以上の場合には、各取付装置２００は、耐荷重の観点から、水平方向（ｘ軸方向）に関して等間隔で壁面４００に固定されることが望ましい。
【０１６９】
実施の形態では、所定の角度θが２０度以上４０度以下であることが望ましいと説明したが、所定の角度θは何らこれらの数値に限定されない。壁面４００に対するピン孔２２２の角度である所定の角度θは、ピン孔２２２が台座部２１０の外側に向かって設けられていれば、２０度未満であってもよいし、４０度より大きくてもよい。
【０１７０】
実施の形態では、取付装置２００が備えるピン孔２２２の数が１２個である構成例を説明した。また、変形例では、取付装置２００が備えるピン孔８２２の数が１６個である構成例を説明した。しかし、取付装置２００が備えるピン孔２２２（または、ピン孔８２２）の数は、何らこれらの数値に限定されない。取付装置２００が備えるピン孔２２２（または、ピン孔８２２）の数は、取付装置２００が支持する電子機器本体１１０の重量（すなわち、取付装置２００に要求される耐荷重）に応じて、適切に設定すればよい。ピン２９０の数は、ピン孔２２２（または、ピン孔８２２）の数に応じて設定すればよい。
【０１７１】
実施の形態では、電子機器本体１１０がシャフト１４０を備え、取付装置２００が溝部２６２を備える構成例を説明したが、電子機器本体１１０および取付装置２００は、何らこの構成例に限定されない。例えば、電子機器本体１１０が溝部２６２を備え、取付装置２００がシャフト１４０を備えていてもよい。この場合、電子機器本体１１０の溝部２６２は、下方（ｙ軸負方向）ではなく、上方（ｙ軸正方向）に窪んだ溝を含んで構成される。
【０１７２】
実施の形態では、溝部２６２が突起部２６３を備え、溝部２６２の断面形状側面視（ｘ軸方向から見たときの断面形状）において溝部２６２の内面２６４が円弧形状の部分を含む構成例を説明したが、溝部２６２は、何らこの構成例に限定されない。溝部２６２は突起部２６３を備えていなくてもよい。また、溝部２６２の断面形状側面視（ｘ軸方向から見たときの断面形状）において、内面２６４は、円弧形状の部分を含まず、直線形状のみで構成されてもよい。
【０１７３】
実施の形態では、電子機器本体１１０が本体貫通孔１３０を備える構成例を説明したが、電子機器本体１１０は本体貫通孔１３０を備えていなくてもよい。電子機器本体１１０は、電子機器本体１１０の外装の表面上に、シャフト１４０とシャフト保持具１５０を備えていてもよい。また、電子機器本体１１０は、電子機器本体１１０の本体背面１２１側の表面に開口部を有し、その開口部内に、シャフト１４０とシャフト保持具１５０とを有していてもよい。すなわち、電子機器本体１１０は、本体表面１２０に開口部を設けない構成であってもよい。
【０１７４】
実施の形態では、取付装置２００が中央ピン２８０を備える構成例を説明したが、取付装置２００は中央ピン２８０を備えていなくてもよい。この場合、取付装置２００は、中央ピン２８０で仮固定されるのではなく、複数のピン２９０のうちの１つで仮固定されてもよい。また、取付装置２００が中央ピン２８０を備えない場合、取付装置２００の台座部２１０は中央貫通孔２１８を備えていなくてもよい。
【０１７５】
実施の形態では、仮固定に用いられた中央ピン２８０が、台座部２１０が壁面４００に固定された後も台座部２１０から取り外されない構成例を説明した。しかし、中央ピン２８０は、台座部２１０が複数のピン２９０で壁面４００に固定された後に、台座部２１０から取り外されてもよい。
【０１７６】
実施の形態では、シート開口部５２０が正面視において（ｚ軸方向から見たときに）台座部２１０を取り囲む形状に形成された構成例を説明したが、シート開口部５２０の形状は何らこの形状に限定されない。また、シート開口部５２０の開口形状を正面視で（ｚ軸方向から見たときに）円形状とする構成例を説明したが、シート開口部５２０の開口形状は、円形状に限定されず、他の形状であってもよい。また、仮固定部５１０の開口形状を正面視で（ｚ軸方向から見たときに）円形状とする構成例を説明したが、仮固定部５１０の開口形状は、円形状に限定されず、他の形状であってもよい。
【０１７７】
実施の形態では、仮固定部５１０が対称軸Ａ上におけるシート５００の一端に配置された構成例を説明したが、仮固定部５１０の配置位置は、対称軸Ａ上であればよく、シート５００の一端に限定されない。
【０１７８】
実施の形態では、仮固定部５１０が開口部として形成された構成例を説明したが、仮固定部５１０は開口部でなくてもよい。仮固定部５１０は、シート５００の対称軸Ａ上に、印刷等によって形成された印（マーク）等であってもよい。その印の形状は、例えば、点状であってもよいし、対称軸Ａに沿った線状であってもよい。シート５００がそのような印を仮固定部５１０として備える場合、図１４に示したステップＳ１１では、画鋲等の掛止め用のピンをシート５００の仮固定部５１０上の一点に挿し込むことにより、シート５００にピンを挿通して、壁面４００にシート５００を固定してもよい。その場合、仮固定部５１０の中心がシート５００の回動（壁面４００に平行なシート５００の回動、すなわちｘ−ｙ平面上でのシート５００の回動）の中心軸でなくてもよい。実施の形態で説明したように、仮固定部５１０の開口箇所の上端がシート５００の回動の中心軸であってもよい。すなわち、シート５００の回動の中心軸は、仮固定部５１０内に含まれていればよい。
【０１７９】
実施の形態では、正面視における（ｚ軸方向から見たときの）シート５００の形状を、電子機器本体１１０の正面視における（ｚ軸方向から見たときの）形状と実質的に同じ形状とする構成例を説明したが、シート５００の形状は何らこの構成例に限定されない。シート５００の正面視の形状は、電子機器本体１１０の正面視の形状と同じでなくてもよい。ただし、シート５００の水平方向（ｘ軸方向）の幅は、電子機器本体１１０の水平方向（ｘ軸方向）の幅と実質的に同じであることが望ましい。これにより、取付装置２００の水平方向（ｘ軸方向）の離間距離（または、取付装置２００の水平方向（ｘ軸方向）における配置位置）を、電子機器本体１１０に設けられた本体貫通孔１３０に対応させることができる。また、シート５００の形状は、長方形に限定されない。シート５００の形状は、対称軸Ａに対して対称であれば、長方形以外の形状（例えば、多角形等）であってもよい。
【０１８０】
実施の形態では、図１４に示したステップＳ１３において、仮固定部５１０を通して壁面４００に挿し込まれたピンを壁面４００から取り外し、その後、壁面４００からシート５００を取り外す動作例を説明したが、本開示は何らこの動作例に限定されない。例えば、ピンを壁面４００に挿し込んだままにし、シート５００を壁面４００に固定したままにしてもよい。この場合、シート５００は、電子機器本体１１０と壁面４００との間に挟まれる。そのため、例えば、シート５００を放熱性を有する材料で形成すれば、電子機器本体１１０と壁面４００との間に挟まれたシート５００を、電子機器本体１１０が発する熱を壁面４００に放熱する放熱部材として用いることができる。
【０１８１】
実施の形態では、シート５００がシート開口部５２０を２つ備える構成例を説明したが、シート５００が備えるシート開口部５２０の数は何ら２つに限定されない。シート５００は、電子機器本体１１０が本体貫通孔１３０を３つ以上備える場合は、本体貫通孔１３０数および配置位置に応じて、シート開口部５２０を３つ以上備えていてもよい。シート５００が備えるシート開口部５２０の数および配置位置は、電子機器本体１１０が備える本体貫通孔１３０の数および配置位置に基づいて設定されればよい。なお、シート５００がシート開口部５２０を３つ以上備える場合、シート開口部５２０の各々は、取付装置２００の耐荷重の観点から、対称軸Ａと直交する直交軸Ｂ上に等間隔でシート５００に設けられることが望ましい。
【０１８２】
実施の形態では、電子機器本体１１０をテレビジョンセットとする構成例を説明したが、電子機器本体１１０はテレビジョンセットに限定されない。電子機器本体１１０は、例えば、チューナーまたは受信器を有さないディスプレイ装置、オーディオ機器、または、デジタルフォトフレーム等の、パネル状の電子機器本体であってもよい。
【０１８３】
以上のように、本開示における技術の例示として、実施の形態を説明した。そのために、添付図面および詳細な説明を提供した。
【０１８４】
したがって、添付図面および詳細な説明に記載された構成要素の中には、課題解決のために必須な構成要素だけでなく、上記技術を例示するために、課題解決のためには必須でない構成要素も含まれ得る。そのため、それらの必須ではない構成要素が添付図面や詳細な説明に記載されていることをもって、直ちに、それらの必須ではない構成要素が必須であるとの認定をするべきではない。
【０１８５】
また、上述の実施の形態は、本開示における技術を例示するためのものであるから、特許請求の範囲またはその均等の範囲において種々の変更、置き換え、付加、省略などを行うことができる。
【産業上の利用可能性】
【０１８６】
本開示は、壁掛けが可能な電子機器に適用可能である。具体的には、壁掛けが可能なフラットテレビジョンセット等の、壁掛けが可能なパネル状の電子機器に、本開示は適用可能である。
【符号の説明】
【０１８７】
１００    電子機器
１１０    電子機器本体
１２０    本体表面
１２１    本体背面
１３０    本体貫通孔
１４０    シャフト
１５０    シャフト保持具
２００    取付装置
２１０，８１０    台座部
２１１    固定面
２１２，２４５    表面
２１３，２１５，２４３，８１３，８１５    凹部
２１６，２６１，８１６    側周面
２１７，２１４，８１４，８１７    底面
２１８    中央貫通孔
２２０，８２０    ネジ孔
２２２，８２２    ピン孔
２２２ａ，８２２ａ    ピン孔群
２３０    掛止部
２４０    嵌合部
２４１，２６０    突出部
２４２    突出面
２４６    背面
２５０    ネジ貫通孔
２６２    溝部
２６３    突起部
２６４    内面
２７０    ネジ
２８０    中央ピン
２９０    ピン
４００    壁面
５００    シート
５１０    仮固定部
５２０    シート開口部
５３０    保護金具
５４０    周縁
５５０    裏面
Ａ    対称軸
Ｂ    直交軸
θ    所定の角度
【図１】
2018116877.tif 000003
【図２】
2018116877.tif 000004
【図３】
2018116877.tif 000005
【図４】
2018116877.tif 000006
【図５】
2018116877.tif 000007
【図６】
2018116877.tif 000008
【図７】
2018116877.tif 000009
【図８】
2018116877.tif 000010
【図９】
2018116877.tif 000011
【図１０】
2018116877.tif 000012
【図１１】
2018116877.tif 000013
【図１２】
2018116877.tif 000014
【図１３】
2018116877.tif 000015
【図１４】
2018116877.tif 000016
【図１５】
2018116877.tif 000017
【図１６】
2018116877.tif 000018
【図１７】
2018116877.tif 000019
【国際調査報告】
2018116877.tif 000020
2018116877.tif 000021
2018116877.tif 000022
2018116877.tif 000023
2018116877.tif 000024
2018116877.tif 000025
2018116877.tif 000026
2018116877.tif 000027
2018116877.tif 000028